(57)【要約】【課題】  置き台に携帯情報端末を載置したとき、例えパワーキーが隠れる位置にあったとしても、電源の入り切りの操作ができる携帯情報端末を提供することを目的とする。【解決手段】  置き台に載置されることにより電源がオンになる携帯情報端末の電源入切部２３が、置き台の収納部によって隠れていたとしても、載置検知部２１により携帯情報端末が置き台に載置されたことを検知し、制御部２２により収納部に隠れていない情報入力部２４に電源を入り切りする機能を割り当てることにより、適切に電源をオフすることができる。  【選択図】  図３
2005242397.tif 000002
【特許請求の範囲】
【請求項１】
置き台に載置可能な携帯情報端末であって、
前記置き台は前記携帯情報端末の少なくとも一部を収納する収納部と前記携帯情報端末が置き台に載置されたことを検出して信号を出力する載置検知部とを備え、
前記携帯情報端末内の各部に電源を供給する電源部と、
電源の入り切りを手動で行う指示を入力する電源入切部と、
前記載置検知部からの信号または前記電源入切部の指示に基づいて前記電源部から前記携帯情報端末内の各部への電源供給を制御する制御部と、
外部から指示を入力する複数の情報入力部と
を有し、前記携帯端末装置を前記置き台に載置した場合に、前記情報入力部のうちで前記置き台の収納部外に位置する１または２以上の情報入力部に電源を入切する機能または切る機能を割り当てることを特徴とする携帯情報端末。
【請求項２】
置き台に載置可能な携帯情報端末であって、
前記置き台は前記携帯情報端末の少なくとも一部を収納する収納部と前記携帯情報端末が置き台に載置されたことを検出して信号を出力する載置検知部とを備え、
前記携帯情報端末内の各部に電源を供給する電源部と、
電源の入り切りを手動で行う指示を入力する電源入切部と、
前記載置検知部からの信号または前記電源入切部の指示に基づいて前記電源部から前記携帯情報端末内の各部への電源供給を制御する制御部と、
外部から指示を入力する複数の情報入力部と、
電源入切部が置き台の収納部内に位置することを検知する検知部と
を有し、前記携帯端末装置を前記置き台に載置した時に前記電源入切部が前記置き台の収納部内に位置する場合、前記情報入力部のうちで前記置き台の収納部外に位置する１または２以上の情報入力部に電源を入切する機能または切る機能を割り当てることを特徴とする携帯情報端末。
【請求項３】
明るさを検知する複数の光検知部を有し、前記光検知部により前記情報入力部のいずれが前記置き台の収納部外に位置するかを検出し、検出された１または２以上の情報入力部に電源を入切する機能または切る機能を割り当てることを特徴とする請求項２記載の携帯情報端末。
【請求項４】
前記光検知部を前記携帯情報端末の前記置き台への挿入方向に配置することを特徴とする請求項３記載の携帯情報端末。
【請求項５】
前記情報入力部が透明もしくは半透明で、前記光検出部を前記情報入力部の携帯情報端末内部側に設けることを特徴とする請求項３または請求項４のいずれかに記載の携帯情報端末。
【請求項６】
前記電源入切部が透明もしくは半透明で、前記検知部として光検出部を前記情報入切部の携帯情報端末内部側に設けることを特徴とする請求項２または請求項３または請求項４または請求項５のいずれかに記載の携帯情報端末。
【請求項７】
置き台に載置可能な携帯情報端末であって、
前記置き台は前記携帯情報端末の少なくとも一部を収納する収納部と前記携帯情報端末が置き台に載置されたことを検出して信号を出力する載置検知部とを備え、
前記携帯情報端末内の各部に電源を供給する電源部と、
前記載置検知部からの信号により任意の時間までのカウントをスタートするタイマと、
前記タイマがカウントアップすることにより前記電源部から前記携帯情報端末内の各部への電源供給を停止する制御部と、
を有し、前記携帯端末装置を前記置き台に載置してから前記任意の時間で電源を切ることを特徴とする携帯情報端末。
【請求項８】
前記載置検知部からの信号により任意の時間までのカウントをスタートするタイマを有し、前記携帯端末装置を前記置き台に載置してから前記タイマがカウントアップして前記任意の時間が経過することにより電源をきることを特徴とする請求項１または請求項２または請求項３または請求項４または請求項５または請求項６のいずれかに記載の携帯情報端末。
【請求項９】
前記置き台は前記携帯情報端末に非接触で電力の供給を行う一次コイルを備え、前記携帯情報端末は前記一次コイルから電力の供給を受ける二次コイルと、前記二次コイルで受けた電力を充電する充電部とを有し、電磁誘導により非接触充電することを特徴とする請求項１または請求項２または請求項３または請求項４または請求項５または請求項６または請求項７または請求項８のいずれかに記載の携帯情報端末。
【発明の詳細な説明】
【技術分野】
【０００１】
本発明は、携帯情報端末に関するものであり、特に使用しないときに置き台に載置する携帯情報端末に関するものである。
【背景技術】
【０００２】
近年、ハンディーターミナル等の携帯情報端末のみならず、コードレス電話、電動歯ブラシなど充電式の電池を電源に用いる製品において、防水性の向上や充電端子での短絡などを防止するため、電磁誘導を用いた非接触式の充電方式が多く用いられるようになってきている。
【０００３】
図を用いて従来の携帯情報端末について説明する。
図１０は従来の携帯情報端末と置き台を示す斜視図である。
図１０において、１は携帯情報端末、２は置き台、３は携帯情報端末１の一部を収納する収納部である。電源がオフの状態の携帯情報端末１を、置き台２の収納部３に載置されたとき（挿入されたとき）に、携帯情報端末１が載置されたことを検出することにより、携帯情報端末１の電源をオンすると共に、携帯情報端末１の各部に電源を供給する構成のものがある。
【特許文献１】特開２００３−１３４６８１号公報
【発明の開示】
【発明が解決しようとする課題】
【０００４】
しかしながら、従来の携帯情報端末には以下の課題があった。置き台に載置したことにより電源がオンした携帯情報端末の電源をオフするには、通信終了によって電源をオフするか、オートパワーオフによって電源をオフするか、電源入切部（以下、パワーキーと称す）による電源のオフが必要になってくる。
【０００５】
図１１は通信が終了して電源がオフする処理を示すフローチャートである。
図１１において、Ｓ１０は携帯情報端末１を置き台に置かれていない状態で通常使用している状態を示し、携帯情報端末１の電源はオンでもオフでも構わない。この状態で、置き台２に載置されたことが検出されたとき（Ｓ２０）、携帯情報端末１の電源がオフであれば電源がオン（Ｓ３０）し、外部の機器と通信可能な置き台に対して携帯情報端末１から置き台へ情報の通信を開始する（Ｓ４０）。そして、通信が終了する（Ｓ５０）と、電源をオフ（Ｓ６０）する。
【０００６】
しかし、置き台２に載置するだけで電源がオンになるため、通信が行われない場合には通信終了によって電源をオフすることができず、携帯情報端末１の電源が入りっぱなしになる。
【０００７】
また、オートパワーオフタイマと一般に呼ばれているものは、一定時間操作しない場合、電源をオフするタイマであり、タイマ値を短く設定すると通常の使用時にすぐに電源がオフし使い勝手が悪くなるため、ある程度の時間（数分以上）の値を設定することが一般に行われる。この時、その設定された時間に到達するまでのあいだ、携帯情報端末１の電源が入りっぱなしになる。
【０００８】
このため、パワーキーによる電源のオフが必要になるが、パワーキーの位置と置き台２の形状によっては、置き台２に置いたときに、パワーキーを操作することができず、電源オフができないという問題点があった。
【０００９】
具体例を図１２と図１３に示す。
図１２は置き台に携帯情報端末を載置したときの正面図、図１３は置き台に携帯情報端末を載置したときの側面図であり、収納部を透視させている。
【００１０】
このように置き台２の収納部３に携帯情報端末１を載置したとき、パワーキー４が収納部３の中にはいるため隠れてしまい、パワーキー４を操作することができず、電源をオフすることができない。
【００１１】
本発明は、上記問題点を解決するもので、置き台に携帯情報端末を載置したとき、例えパワーキーが隠れる位置にあったとしても、電源の入り切りの操作が適切にできる携帯情報端末を提供することを目的とする。
【課題を解決するための手段】
【００１２】
上記目的を達成するために、本発明の請求項１記載の携帯情報端末は、置き台に載置可能な携帯情報端末であって、前記置き台は前記携帯情報端末の少なくとも一部を収納する収納部と前記携帯情報端末が置き台に載置されたことを検出して信号を出力する載置検知部とを備え、前記携帯情報端末内の各部に電源を供給する電源部と、電源の入り切りを手動で行う指示を入力する電源入切部と、前記載置検知部からの信号または前記電源入切部の指示に基づいて前記電源部から前記携帯情報端末内の各部への電源供給を制御する制御部と、外部から指示を入力する複数の情報入力部とを有し、前記携帯端末装置を前記置き台に載置した場合に、前記情報入力部のうちで前記置き台の収納部外に位置する１または２以上の情報入力部に電源を入切する機能または切る機能を割り当てることを特徴とする。
【００１３】
請求項２記載の携帯情報端末は、置き台に載置可能な携帯情報端末であって、前記置き台は前記携帯情報端末の少なくとも一部を収納する収納部と前記携帯情報端末が置き台に載置されたことを検出して信号を出力する載置検知部とを備え、前記携帯情報端末内の各部に電源を供給する電源部と、電源の入り切りを手動で行う指示を入力する電源入切部と、前記載置検知部からの信号または前記電源入切部の指示に基づいて前記電源部から前記携帯情報端末内の各部への電源供給を制御する制御部と、外部から指示を入力する複数の情報入力部と、電源入切部が置き台の収納部内に位置することを検知する検知部とを有し、前記携帯端末装置を前記置き台に載置した時に前記電源入切部が前記置き台の収納部内に位置する場合、前記情報入力部のうちで前記置き台の収納部外に位置する１または２以上の情報入力部に電源を入切する機能または切る機能を割り当てることを特徴とする。
【００１４】
請求項３記載の携帯情報端末は、請求項２記載の携帯情報端末において、明るさを検知する複数の光検知部を有し、前記光検知部により前記情報入力部のいずれが前記置き台の収納部外に位置するかを検出し、検出された１または２以上の情報入力部に電源を入切する機能または切る機能を割り当てることを特徴とする。
【００１５】
請求項４記載の携帯情報端末は、請求項３記載の携帯情報端末において、前記光検知部を前記携帯情報端末の前記置き台への挿入方向に配置することを特徴とする。
請求項５記載の携帯情報端末は、請求項３または請求項４のいずれかに記載の携帯情報端末において、前記情報入力部が透明もしくは半透明で、前記光検出部を前記情報入力部の携帯情報端末内部側に設けることを特徴とする。
【００１６】
請求項６記載の携帯情報端末は、請求項２または請求項３または請求項４または請求項５のいずれかに記載の携帯情報端末において、前記電源入切部が透明もしくは半透明で、前記検知部として光検出部を前記情報入切部の携帯情報端末内部側に設けることを特徴とする。
【００１７】
請求項７記載の携帯情報端末は、置き台に載置可能な携帯情報端末であって、前記置き台は前記携帯情報端末の少なくとも一部を収納する収納部と前記携帯情報端末が置き台に載置されたことを検出して信号を出力する載置検知部とを備え、前記携帯情報端末内の各部に電源を供給する電源部と、前記載置検知部からの信号により任意の時間までのカウントをスタートするタイマと、前記タイマがカウントアップすることにより前記電源部から前記携帯情報端末内の各部への電源供給を停止する制御部と、を有し、前記携帯端末装置を前記置き台に載置してから前記任意の時間で電源を切ることを特徴とする。
【００１８】
請求項８記載の携帯情報端末は、請求項１または請求項２または請求項３または請求項４または請求項５または請求項６のいずれかに記載の携帯情報端末において、前記載置検知部からの信号により任意の時間までのカウントをスタートするタイマを有し、前記携帯端末装置を前記置き台に載置してから前記タイマがカウントアップして前記任意の時間が経過することにより電源をきることを特徴とする。
【００１９】
請求項９記載の携帯情報端末は、請求項１または請求項２または請求項３または請求項４または請求項５または請求項６または請求項７または請求項８のいずれかに記載の携帯情報端末において、前記置き台は前記携帯情報端末に非接触で電力の供給を行う一次コイルを備え、前記携帯情報端末は前記一次コイルから電力の供給を受ける二次コイルと、前記二次コイルで受けた電力を充電する充電部とを有し、電磁誘導により非接触充電することを特徴とする。
【００２０】
以上のように、本発明の携帯情報端末によると、置き台に携帯情報端末を載置したとき、例えパワーキーが隠れる位置にあったとしても、電源の入り切りの操作ができる携帯情報端末を提供することを目的とする。
【発明の効果】
【００２１】
以上の説明から明らかなように本発明は、置き台に載置されることにより電源がオンになる携帯情報端末のパワーキーが、置き台の収納部によって隠れていたとしても、収納部に隠れていないキーに電源を入り切りする機能を割り当てることにより、適切に電源をオフすることができる。
【００２２】
また、携帯情報端末の置き台への挿入方向に複数のフォトセンサを配置することにより、収納部に隠れていないキーに電源を入り切りする機能を割り当てることが可能となり、より多くのキーを用いて適切に電源をオフすることができる。
【００２３】
また、キーを透明または半透明にし、その内側にフォトセンサを配置することにより、さらに多くの収納部に隠れていないキーに電源を入り切りする機能を割り当てることが可能となり、より適切に電源をオフすることができる。
【００２４】
さらに、置き台に携帯情報端末を載置してから任意の時間後に電源をオフするパワーオフタイマを設けることにより、適切に電源をオフすることができる。
【発明を実施するための最良の形態】
【００２５】
以下に、ハンディーターミナルを例とした図に従い本発明の具体的な実施の形態を説明する。
（実施の形態１）
図１は本発明の実施の形態１における携帯情報端末の電源オフ動作を示すフローチャートである。図２は本発明の実施の形態１における置き台に携帯情報端末を載置したときの正面図であり、収納部３を透視させている。ここで、携帯情報端末１と置き台２の充電には電磁誘導を用いた非接触式の充電方式を用いており、携帯情報端末１には二次コイル（図示せず）、置き台２には一次コイル（図示せず）が内蔵されている。図３は本発明の実施の形態１における携帯情報端末の回路構成を示すブロック図である。なお、本実施の形態において、従来の技術の構成を示す図１０から図１３と同じ構成並びに作用効果を奏する部分には同じ符号を用い詳細な説明は省略する。
【００２６】
図１において、置き台２に載置されない通常使用状態（Ｓ１０）から、携帯情報端末１は置き台２に載置されたことを検出すると（Ｓ２０）、載置検知部の信号により携帯情報端末の電源がオンされ（Ｓ３０）、アイドル状態（Ｓ１００）となる。アイドル状態（Ｓ１００）とは、携帯情報端末１は画面表示はしているが、充電動作以外の動作はしていない状態である。この状態のままで、携帯情報端末の電源をオフするために電源入切部であるパワーキー４を操作しようとしても、置き台２の収納部３に載置されているため操作できない。一度収納部３から抜いてパワーキー４によって電源をオフしたとしても、再度充電のために収納部３に載置すると電源がオンしてしまう（Ｓ３０）。そのため、置き台２に載置されていることを載置検知部２１により検出した場合、（外部から指示を入力する）情報入力部の一つであるトリガキーなどの置き台２に隠れていないキーに電源をオフする機能を割り当てる。ここで、トリガキーとは、例えば、携帯情報端末の一例であるハンディーターミナルの場合には、ハンディーターミナルにバーコードの読み取りを開始させるための読み取り開始キーのことを示す。これにより、図２に示すトリガキー５もしくは６が押されたことを検出（Ｓ１１０）した場合、電源をオフ（Ｓ６０）することが可能となる。
【００２７】
なお、置き台２には、置き台２の電源がオンになっていることを示すＬＥＤや、内蔵している通信処理部が通信中であることを示すＬＥＤ、商用電源のためのケーブルや商用電源のオンオフのためのスイッチが付属しているが図示はしていない。
【００２８】
次に、本実施例の実施の形態１における携帯情報端末の回路構成を説明する。
図３において、２０は電源部で充電が可能なリチウムイオン電池を用いた。リチウムイオン電池から、トランジスタ等で構成され電源をオンオフ制御する制御部２２を経由して、データ処理部２５や通信処理部２６などの各部へ電源を供給する。制御部２２は、電源入切部２３であるパワーキー４と、載置検知部２１と、情報入力部２４の一つであるトリガキー５もしくは６とで電源のオンオフ制御が行える。ここで載置検知部２１は、携帯情報端末１の二次コイルの共振を検出することにより、載置を検出する。
【００２９】
なお、図１のＳ１００は充電動作以外の動作はしていないアイドル状態としたが、バーコードの読取などの動作をしていてもかまわない。
さらに、置き台２に載置されていることを検出した場合、情報入力部の一つとしてトリガキー５もしくは６に電源をオフする機能を割り当てたが、収納部３に載置されていても操作できる他のキーに割り当てても構わない。
【００３０】
さらに、載置検知部２１では、二次コイルの共振を検出したが、機械的なスイッチや、接触端子を用いその電圧や抵抗の変化を検知するなどして、電気的に置き台との接触を検知する方法でもよい。
【００３１】
以上のように本実施の形態１では、置き台２に載置されて電源がオンした場合、置き台の収納部外に位置し、操作が可能であるキーに電源をオフする機能が割り当てられるため、置き台の収納部外に位置する他のキーで電源をオフすることが可能となり、省電力化が図れる。
【００３２】
（実施の形態２）
次に本発明の実施の形態２における携帯情報端末について図４，図５，図６を用いて説明する。
【００３３】
図４は本発明の実施の形態２における携帯情報端末の電源オフ動作を示すフローチャートである。図５は本発明の実施の形態２における置き台に携帯情報端末を載置したときの正面図、図６は本発明の実施の形態２における置き台に携帯情報端末を載置したときの側面図であり、いずれも収納部３を透視させている。本実施の形態において、従来の技術の構成を示す図１０から図１３並びに実施の形態１の図１から図３と同じ構成並びに作用効果を奏する部分には同じ符号を用い詳細な説明は省略する。
【００３４】
図４において、通常使用状態（Ｓ１０）から置き台２に載置されたことが検出されると（Ｓ２０）、置き台２に載置された携帯情報端末１は、電源がオンされ（Ｓ３０）、アイドル状態（Ｓ１００）となる。その後、パワーキー４が収納部３内に位置することを検知する検知部により、パワーキー４が収納部３の中に隠れているかどうかを検出し（Ｓ１０１）、パワーキー４が隠れていない場合、パワーキー４によって電源はオフされる（Ｓ１２０）が、パワーキー４が隠れていると検出された場合、隠れていないキーの検索を実施する（Ｓ１０２）。そして、検索された隠れていないキーを押下することによって（Ｓ１０３）電源はオフされる（Ｓ６０）。このとき隠れていないキーが複数個検出された場合、いずれを押下しても電源はオフされるようにしている。
【００３５】
図５に置き台２に携帯情報端末１を載置したときの正面図を、図６に同側面図を示し、いずれも収納部３を透視させている。隠れていないキーの検索（Ｓ１０２）は、携帯情報端末１の置き台２への挿入方向である矢印ａ方向に光検知部であるフォトセンサ７をキー配列毎に複数個並べて配置し、外からの光の明るさを検出して各情報入力部が収納部３外に位置するかを検出した。結果、収納部３外に位置すると検出された情報入力部であるキーは８の破線で示した２つのキーおよびトリガキー５と６の合計４つのキーである。
【００３６】
ここで図６に示すように、フォトセンサ７は携帯情報端末１の内部に配置した。
なお、図６に示す９はプリント基板で、フォトセンサ７を実装しており、１０は外光をフォトセンサ７に導くための穴もしくは透明部材である。また穴もしくは透明部材１０はフォトセンサ７にそれぞれペアで対応させている。
【００３７】
なお、隠れていないキーに、電源入切部の機能のうち、電源オフ機能のみ割り当てても構わない。
以上のように本実施の形態２では、置き台２に載置されて電源がオンし、パワーキー４が収納部３に隠れている場合、隠れていない他のキーを検索し、隠れていないキーに電源をオフする機能が割り当てられるため、置き台２の収納部３の形状が異なる置き台２であっても、プログラムの変更なしに置き台２の収納部３外に位置する他のキーを用いて適切に電源をオフすることができる。
【００３８】
さらに隠れていないキーを複数検出した場合、それらすべてに電源をオフする機能を割り当てることにより操作時に隠れていない複数のどのキーを押下しても電源がオフするため、キーを捜す必要がなくなり操作性が向上する。また挿入方向にフォトセンサ７を複数設けることにより、正確に隠れていないキーの検出が可能になる。また、隠れていないキーに電源オフ機能のみ割り当てることにより、誤って電源をオンすることを防ぐこともできる。
【００３９】
（実施の形態３）
次に、本発明の実施の形態３における携帯情報端末について図７，図８を用いて説明する。
【００４０】
図７は本発明の実施の形態３における置き台に携帯情報端末を載置したときの正面図、図８は本発明の実施の形態３における置き台に携帯情報端末を載置したときの側面図であり、いずれも収納部３を透視させている。本実施の形態において、従来の技術の構成を示す図１０から図１３並びに実施の形態１と２の図１から６と同じ構成並びに作用効果を奏する部分には同じ符号を用い詳細な説明は省略する。
【００４１】
図７に示すように、情報入力部であるキー１１，トリガキー５，トリガキー６ならびにパワーキー４を透明または半透明にすることにより、外からの光を図８に示すプリント基板９上に搭載されたフォトセンサ７によって検出することができる。結果、検出された情報入力部であるキーは１２の破線で示した５つのキーおよびトリガキー５と６の合計７つのキーである。
【００４２】
なお、図面簡素化のために、フォトセンサ７は図８には８個示しているが、トリガキー５と６，パワーキ−４を含む全てのキーの携帯端末内部側（下側）にフォトセンサを配置している。また、図７ならびに図８では、情報入力部として、一列のキー８個を１１と示しているが、トリガキー５と６とパワーキー４を除く全てのキーを示している。
【００４３】
以上のように本実施の形態３では、パワーキ−４を含む各キーを透明または半透明とし、キーの下に光検知部であるフォトセンサを備えることにより、実施の形態２で記述したものでは４つのキーしか検出できないが、本実施の形態ではさらに正確に７つの隠れていないキーを検出することができ、適切に電源をオフすることができる。
【００４４】
（実施の形態４）
次に、本発明の実施の形態４における携帯情報端末について図９を用いて説明する。
図９は本発明の実施の形態４における携帯情報端末の電源オフ動作を示すフローチャートを示したものである。本実施の形態において、従来の技術の構成を示す図１０から図１３並びに実施の形態１から３の図１から図８と同じ構成並びに作用効果を奏する部分には同じ符号を用い詳細な説明は省略する。
【００４５】
図９において、通常使用状態（Ｓ１０）から置き台２に載置されたことが検出されると（Ｓ２０）、置き台２に載置された携帯情報端末１は、電源がオンされるとともに計時部としてパワーオフタイマをスタートさせる（Ｓ１３０）。アイドル状態（Ｓ１００）でタイマがタイムアップすることにより（Ｓ１４０）、電源を自動的にオフにする（Ｓ６０）。このパワーオフタイマは、従来の技術であるオートパワーオフタイマとは別の異なるタイマとする。
【００４６】
このように、置き台を検出した時に従来用いたオートパワーオフタイマとは別のパワーオフタイマをスタートさせ、タイムアウトと共に電源をオフすることにより、通常の使用時の使い勝手を損なわずに、適切な値をパワーオフタイマに設定して適切に電源をオフすることができ、不要に電源が入りっぱなしになることはなく省電力化が図れる。
【００４７】
この時、実施の形態１から３の記載のように、収納部に隠れていないキーにパワーオフ機能を付加しておくことにより、設定した時間が経過しなくても、任意に電源をオフすることができる。
【００４８】
以上で説明した携帯情報端末として、ハンディーターミナル，携帯電話，コードレスフォン，トランシーバー等が挙げられる。
【産業上の利用可能性】
【００４９】
本発明の携帯情報端末によると、置き台に携帯情報端末を載置したとき、例えパワーキーが隠れる位置にあったとしても、電源の入り切りの操作ができ、使用しないときに置き台に載置する携帯情報端末等に有用である。
【図面の簡単な説明】
【００５０】
【図１】本発明の実施の形態１における携帯情報端末の電源オフ動作を示すフローチャート
【図２】本発明の実施の形態１における置き台に携帯情報端末を載置したときの正面図
【図３】本発明の実施の形態１における携帯情報端末の回路構成を示すブロック図
【図４】本発明の実施の形態２における携帯情報端末の電源オフ動作を示すフローチャート
【図５】本発明の実施の形態２における置き台に携帯情報端末を載置したときの正面図
【図６】本発明の実施の形態２における置き台に携帯情報端末を載置したときの側面図
【図７】本発明の実施の形態３における置き台に携帯情報端末を載置したときの正面図
【図８】本発明の実施の形態３における置き台に携帯情報端末を載置したときの側面図
【図９】本発明の実施の形態４における携帯情報端末の電源オフ動作を示すフローチャート
【図１０】従来の携帯情報端末と置き台を示す斜視図
【図１１】通信が終了して電源がオフする処理を示すフローチャート
【図１２】置き台に携帯情報端末を載置したときの正面図
【図１３】置き台に携帯情報端末を載置したときの側面図
【符号の説明】
【００５１】
１  携帯情報端末
２  置き台
３  収納部
４  パワーキー
５  トリガキー
６  トリガキー
７  フォトセンサ
８  破線
９  プリント基板
１０  穴もしくは透明部材
１１  キー（情報入力部）
２０  電源部
２１  載置検知部
２２  制御部
２３  電源入力部
２４  情報入力部
２５  データ処理部
２６  通信処理部
【図１】
2005242397.tif 000003
【図２】
2005242397.tif 000004
【図３】
2005242397.tif 000005
【図４】
2005242397.tif 000006
【図５】
2005242397.tif 000007
【図６】
2005242397.tif 000008
【図７】
2005242397.tif 000009
【図８】
2005242397.tif 000010
【図９】
2005242397.tif 000011
【図１０】
2005242397.tif 000012
【図１１】
2005242397.tif 000013
【図１２】
2005242397.tif 000014
【図１３】
2005242397.tif 000015